(57)【要約】【課題】乗用座席に座った作業者が機体の前方を見ながら安定した状態で安全に苗の供給作業を行える乗用苗移植機を提供すること。【解決手段】左右前輪２，２と後下方に向けて設ける左右伝動ケース５Ｌ，５Ｒに軸支した左右後輪３，３で支持した車体１の前部に苗供給装置８と苗植付装置９を設け、前記左右伝動ケース５Ｌ，５Ｒの枢支軸４の側面視で上方に座席１３を前向きに設けた乗用苗移植機とする。【選択図】図１
2018161106.tif 000002
【特許請求の範囲】
【請求項１】
左右前輪（２，２）と後下方に向けて設ける左右伝動ケース（５Ｌ，５Ｒ）に軸支した左右後輪（３，３）で支持した車体（１）の前部に苗供給装置（８）と苗植付装置（９）を設け、前記左右伝動ケース（５Ｌ，５Ｒ）の枢支軸（４）の側面視で上方に座席（１３）を前向きに設けた、ことを特徴とする乗用苗移植機。
【請求項２】
車体（１）の中央に設ける座席（１３）の下部に左右伝動ケース（５Ｌ，５Ｒ）を揺動するシリンダ（２１）と苗植付装置（９）の植付間隔を変更する植付間隔調整ミッション（２４）を設け、苗供給装置（８）と前記座席（１３）の間及び前記座席（１３）の左右に搭乗フロア（１５）を前記車体（１）に配設した、ことを特徴とする乗用苗移植機。
【請求項３】
座席（１３）を有する車体（１）の後部に操縦ハンドル（１７）を設けた乗用苗移植機において、
前記座席（１３）の下部に前後方向のスライド軸（２３）を設け、該スライド軸（２３）に左右伝動ケース（５Ｌ，５Ｒ）の下方回動に伴って後方へスライドするバランスウエイト（２２）を設けた、ことを特徴とする乗用苗移植機。
【発明の詳細な説明】
【技術分野】
【０００１】
本発明は、野菜苗を畝に植え付ける移植機で、作業者が機体上の座席に座って苗供給作業を行う乗用苗移植機に関する。
【背景技術】
【０００２】
乗用苗移植機として、下記特許文献１には、後部に歩行操縦操作用ハンドルを設けた機体の最後部に苗供給装置と苗植付装置を設け、機体前部に後方に向かって座る乗用座席を設け、該乗用座席に座った作業者が手作業で苗供給装置に野菜苗を供給しながら機体を前進走行させて移植作業を行う構成が記載されている。
【０００３】
この構成の苗移植機は、乗用座席に座った作業者が苗植付装置の苗植付状況を確認しながら移植作業を行えるので、植付不良に気が付き易く、苗植付装置や機体の調整を行い易い。
【先行技術文献】
【特許文献】
【０００４】
【特許文献１】特開第５９４９７２８号公報
【発明の概要】
【発明が解決しようとする課題】
【０００５】
しかしながら、機体は乗用座席に座った作業者の後方に向かって走行しながら作業者が苗供給作業を行うようになるために、作業者は機体の進路に障害物が無いか度々後方へ振り返らなければならず、苗の供給作業に集中できない。
【０００６】
本発明の目的は、上記従来の乗用苗移植機の課題に鑑みて、乗用座席に座った作業者が機体の前方を見ながら安定した状態で安全に苗の供給作業を行える乗用苗移植機を提供することである。
【課題を解決するための手段】
【０００７】
上記従来の乗用苗移植機の課題は、次の技術手段により解決される。
【０００８】
請求項１の発明は、左右前輪２，２と後下方に向けて設ける左右伝動ケース５Ｌ，５Ｒに軸支した左右後輪３，３で支持した車体１の前部に苗供給装置８と苗植付装置９を設け、前記左右伝動ケース５Ｌ，５Ｒの枢支軸４の側面視で上方に座席１３を前向きに設けた乗用苗移植機とする。
【０００９】
請求項２の発明は、車体１の中央に設ける座席１３の下部に左右伝動ケース５Ｌ，５Ｒを揺動するシリンダ２１と苗植付装置９の植付間隔を変更する植付間隔調整ミッション２４を設け、苗供給装置８と座席１３の間及び座席１３の左右に搭乗フロア１５を車体１に配設した乗用苗移植機とする。
【００１０】
請求項３の発明は、座席１３を有する車体１の後部に操縦ハンドル１７を設けた乗用苗移植機において、座席１３の下部に前後方向のスライド軸２３を設け、該スライド軸２３に左右伝動ケース５Ｌ，５Ｒの下方回動に伴って後方へスライドするバランスウエイト２２を設けたことを特徴とする乗用苗移植機とする。
【発明の効果】
【００１１】
請求項１の発明によれば、作業者は車体１の前に向かって座席１３に座って進行方向を確認しながら苗供給装置８に野菜苗を供給する作業を行うので、頭をあまり移動しないで前方を確認出来るので安全であり、座席１３が左右伝動ケース５Ｌ，５Ｒの枢支軸４の側面視で上方に位置するために、重い作業者の体重が車体１を支える左右前輪２，２と左右後輪３，３に分散し、左右伝動ケース５Ｌ，５Ｒが揺動して車体１が昇降しても不安定になることが無い。
【００１２】
請求項２の発明によれば、シリンダ２１と植付間隔調整ミッション２４を避けて座席１３の回りに搭乗フロア１５を設けるので、搭乗フロア１５を低く出来て作業者の乗降が容易になる。
【００１３】
請求項３の発明によれば、乗用苗移植機を旋回する場合は、左右伝動ケース５Ｌ，５Ｒを下方回動して車体１を上昇させて操縦ハンドル１７を押し下げて前輪２，２を浮かせるが、その際にバランスウエイト２２が操縦ハンドル１７側にスライドするので、操縦ハンドル１７を押し下げる力を軽く出来る。
【図面の簡単な説明】
【００１４】
【図１】本発明の第一実施例の乗用苗移植機の側面図である。
【図２】本発明の第二実施例の乗用苗移植機の側面図である。
【図３】本発明の第二実施例の乗用苗移植機の平面図である。
【発明を実施するための形態】
【００１５】
以下、本発明の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００１６】
車体１は、前部に固定される左右の前輪２，２と前後中間部の枢支軸４で揺動可能に設ける左右の伝動ケース５，５に軸支される後輪３，３で支持される。左右の伝動ケース５，５は車体１の左右傾きで作動する油圧或いは電動のシリンダ２１で上下に揺動して車体１を左右水平に修正する。車体１の後部にはエンジン６を搭載し、ミッションケース７を装着して、左右の伝動ケース５，５のチェーン伝動を通じて左右後輪３，３に駆動力を伝動し、また、車体１の前部に設ける苗供給装置８と苗植付装置９を駆動する。
【００１７】
車体１の後端から左右後上方に操縦ハンドル１７を設け、その後上部に操向クラッチレバー１８等の操縦装置を設け、作業者が歩行しながら操縦出来るようにしている。
【００１８】
車体１の前上部には受け皿１０が平面視でループ状に周回する苗供給装置８とその下部で植付具を昇降して受け皿１０から受け取った野菜苗を畝に植え付ける苗植付装置９を設けている。苗供給装置８の左右中央には苗箱１２を受ける苗箱受１１を設けている。
【００１９】
車体１の前後左右中央で前記枢支軸４の略真上位置に支柱１４で支持する座席１３を前向きに設けている。座席１３の下部にはシリンダ２１や植付間隔調整ミッション２４の他に前後方向のスライド軸２３に沿って車体１の上昇に伴って後方へスライドするバランスウエイト２２を設けている。この座席１３の左右側部には苗箱１２を載せる苗箱キャリー１６を三段に設けている。
【００２０】
車体１の床面１５上にブレーキペダル２０やクラッチレバー１９等の操縦装置を設けて、座席１３に前向きに座った作業者が操縦出来るようにしている。また、苗供給装置８と座席１３の間及び座席１３の左右には搭乗フロア１５を設け、車体１の後端でミッションケース７の左右から搭乗フロア１５に向かってステップ２５を設け、作業者が座席１３の左右どちら側からでも乗り降りできるようにしている。
【００２１】
座席１３に座った作業者が、前方を見ながら苗箱１２から野菜苗を取出して苗供給装置８の周回する受け皿１０に投入する作業を行うと、苗供給装置８の受け皿１０から苗植付装置９の植付具に野菜苗が自動で供給されて、植付具が昇降して野菜苗が畝に植え付けられる。
【００２２】
車体１を旋回する場合は、作業者が車体１の後方に立ち、左右伝動ケース５Ｌ，５Ｒを下方に回動して車体１を上昇させた状態にして操縦ハンドル１７を押し下げて前輪２，２を浮かせるが、その時にバランスウエイト２２が後方へスライドして操縦ハンドル１７の押し下げが容易になる。
【００２３】
図２，図３は、第二実施例で、車体１の前部にエンジン６とミッションケース７を搭載し、座席１３を車体１の後部に設けている。
【００２４】
車体１を支持する左右前輪２，２は、ミッションケース７の枢支軸４から前方下方に設ける前支持ケース３１Ｌ，３１Ｒに枢支し、左右後輪３，３は枢支軸４から後下方に設ける左右伝動ケース５Ｌ，５Ｒに枢支している。
【００２５】
エンジン６の左右に灌水タンク２６を搭載し、エンジン６の前にはバランスウエイト２７を車体１に取り付けているので、車体１の前側から灌水タンク２６の着脱が容易で、灌水タンク２６はバランスウエイトとして作用する。
【００２６】
座席１３の前には、苗供給装置８と苗植付装置９を設け、搭乗フロア１５にサイドクラッチペダル２８や走行クラッチレバー２９を設け、搭乗フロア１５の前カバー３０は網面や透明樹脂板として苗植付装置９の作動状態を観察できるようにしている。なお、この前カバー３０は、前記第一実施例においても同様に設けると良い。
【符号の説明】
【００２７】
１  車体
４  枢支軸
５Ｌ，５Ｒ  左右伝動ケース
８  苗供給装置
９  苗植付装置
１３  座席
１５  搭乗フロア
１７  操縦ハンドル
２１  シリンダ
２２  バランスウエイト
２３  スライド軸
２４  植付間隔調整ミッション
【図１】
2018161106.tif 000003
【図２】
2018161106.tif 000004
【図３】
2018161106.tif 000005